(57)【要約】  【課題】  状態表示板や化粧板等の外装材の取り付けを容易に且つ能率的に行うことが可能な空気調和機の外装材取付構造を提供すること。  【課題を解決するための手段】  状態表示板２０の貼付面２４に対応する前面パネル７の表示板貼付部７１に，取付脚部２２を上記表示板貼付部７１に対して略垂直に挿入することが可能なように前面パネル７に設けられた段差３０の段差面３２の開口部と連続する切り欠きを設ける。即ち，上記段差面３２から上記表示板貼付部７１に亘って開口する開口部４１を設ける。この開口部４１に上記状態表示板２０を略垂直に挿入させ，その後に，底面２３を略中心にして上記状態表示板２０の貼付面２４が上記前面パネル７の表面に当接するまで回動な取付構造。【選択図】図３
2006214682.tif 000002
【特許請求の範囲】
【請求項１】
空気調和機の筐体の表面に一定幅の段差が形成され，該段差を形成する段差面に所定幅の開口部が形成されてなり，
略矩形板状の外装材の底面に設けられた外装材取付脚部を上記開口部に挿入することにより上記外装材取付脚部を上記筐体の裏面に係合させると共に上記外装材の貼付面を上記筐体の表面に接着材で貼着させることによって上記外装材を上記空気調和機に取り付ける空気調和機の外装材取付構造であって，
上記外装材の貼付面に対応する上記筐体に，上記外装材取付脚部を上記筐体に対して略垂直に挿入することが可能なように上記開口部と連続する切り欠きが設けられてなることを特徴とする空気調和機の外装材取付構造。
【請求項２】
上記外装材が，上記空気調和機の稼動状態等を表示するための状態表示板或いは上記空気調和機の筐体を装飾するための化粧板である請求項１に記載の空気調和機の外装材取付構造。
【発明の詳細な説明】
【技術分野】
【０００１】
空気調和機の稼動状態等を表示するための横長の表示板や上記空気調和機の筐体を装飾する横長の化粧板などの外装材を上記空気調和機の筐体表面に取り付ける外装材取付構造に関し，特に，上記外装材の取付脚部を上記筐体に係合させると共に該外装材の貼付面を接着材で上記筐体表面に貼着させることにより該外装材を空気調和機に取り付ける空気調和機の外装材取付構造に関する。
【背景技術】
【０００２】
屋内に設置される空気調和機には，その機能を確保するため或いはデザイン性などの観点から種々の外装材が取り付けられている。
例えば，図４の全体斜視図に示す壁掛け型の空気調和機Ｘにおいては，図示するように，空気調和機Ｘの筐体の一例である前面パネル７の正面から見て下部両端には，内部に収容されたルーバ２の駆動モータなどの機器を覆い隠すと共に分解清掃時に開閉されるカバー８が設けられ，上記前面パネル７の前面側には，内部に嵌め込まれた粉塵フィルタなどを覆い隠すと共に室内空気を取り入れるために開閉可能に構成されたオープンパネル９等の外装材が取り付けられている。なお，図中の符号６は上記空気調和機Ｘの内部の構成機器を収容支持するキャビネットであり，上記前面パネル７と共に上記空気調和機Ｘの筐体１を構成する。
更にまた，上記オープンパネル９の下方側の前面パネル７には，空気調和機Ｘの稼動状態（運転，換気等）を表示するための図５に示す外装材の一例である状態表示板２０が，上記前面パネル７の横幅いっぱいに形成された段差３０（図中のＨ部拡大図参照）に接した状態で取り付けられている。この状態表示板２０は後述するように，係止爪７ａ（図６）で係合され且つ両面テープ等の接着材２５などで貼り付けられることにより上記前面パネル７に取り付けらる。
【０００３】
ここで，上記図４及び図５を参照しつつ，図６の（ａ）〜（ｄ）を用いて上記状態表示板２０の従来の取付構造及び取付方法について説明する。ここに，図６は上記状態表示板２０の従来の取付構造及び取付方法を説明するための断面模式図である。なお，ここでは，図５に示すように，上記前面パネル７の横幅と略同幅の略矩形板状に成型された樹脂製部材からなり，空気調和機Ｘの稼動状態（運転，換気等）がプリントされた表示板本体２１と，上記表示板本体２１の左右端部近傍の底面２３に設けられた２つの取付脚部２２とを有して構成される状態表示板２０の取付手法を例示説明する。
【０００４】
まず，図６（ａ）の状態から上記前面パネル７の段差３０を形成する段差面３２（（図４のＨ部拡大図を参照）に開けられた２つの開口部３１に上記取付脚部２２を縦方向に挿入させる。この場合，上記取付脚部２２と前面パネル７の裏面に設けられた係合爪７ａとが干渉し，上記取付脚部２２の挿入が阻止されるため，例えば，図６（ｂ）に示すように，上記前面パネル７の裏面側からマイナスドライバ等の楔Ｋを上記開口部３１に挿入して，上記係合爪７ａを外側へ押し出す必要がある。
図６（ｂ）に示すように上記係合爪７ａが押し出されると，その状態を保持したまま，上記取付脚部２２を上記開口部３１に挿入させる。図６（ｃ）は上記取付脚部２２が挿入される状態を示す。このとき，上記開口部３１内の上記取付脚部２２の進入路は，筐体の一例である上記前面パネル７における上記表示板本体２１が貼り付けられる部分（以下「表示板貼付部」という）７１の側に確保される。そのため，上記取付脚部２２の挿入は，上記状態表示板２０の貼付面２４（即ち上記状態表示板２０の裏面）を上記表示板貼付部７１に近接させ且つこれに対して略平行な状態を維持したまま行わなければならない。なお，上記取付脚部２２を完全に挿入させた後に，図６（ｄ）のように上記状態表示板２０の貼付面２４に接着材等を付するのは困難であるため，通常は上記貼付面２４に予め両面テープ等が貼り付けられる。
そして，上記状態表示板２０の底面２３が上記段差面３２に当接するまで上記取付脚部２２を完全に挿入させると，上記楔Ｋを抜き取る。これにより，楔Ｋにより押し付けられていた上記係合爪７ａが元の形態に復元することで該係合爪７ａと上記取付脚部２２に設けられた切欠口２２ａとが係合する。また，これと同時に，上記係合爪７ａの復元により上記状態表示板２０が上記前面パネル７の表示板貼付部７１に押し付けられることで，上記貼付面２４に貼り付けられた両面テープ等の接着材が上記表示板貼付部７１に当接し，最終的に上記状態表示板２０が上記前面パネル７に取り付けられる。
【０００５】
また，特許文献１には，外装材の一例である化粧板が取り付けられた天井埋込型空気調和機について開示されており，ここでは，空気調和機本体の振動や騒音を外部へ漏れにくくすることを目的として，上記化粧板を空気調和機本体の側板に固定金具で取り付ける手法が提案されている。
【特許文献１】特開２００４−３１６９７０号公報
【発明の開示】
【発明が解決しようとする課題】
【０００６】
しかしながら，図６を用いて説明した上述の状態表示板２０の取付構造では，上記取付脚部２２を挿入させる際に上記係合爪７ａを外側へ押し出すという面倒な作業を伴うため，作業効率が悪いという問題がある。
また，上記状態表示板２０の貼付面２４を上記表示板貼付部７１に近接させ且つこれに対して略平行な状態を維持したまま上記取付脚部２２を挿入させなければならない。そのため，完全に挿入される前に上記状態表示板２０に予め貼り付けていた両面テープ等の接着材と上記表示板貼付部７１とが接触することにより，それ以上の挿入ができなくなったり，挿入不充分なまま固定されてしまうといった問題が生じる。また，上記接着材がめくれたり，剥がれた状態で上記表示板貼付部７１に付着する危険性が高く，取付作業に慎重を要し，取付作業に費やされる時間が長期化するという問題もある。
一方，上記特許文献１に記載の取付手法を採用したとしても，上記各問題を解決することはできない。
そこで，本発明は上記事情に鑑みてなされたものであり，その目的とするところは，状態表示板や化粧板等の外装材の取り付けを容易に且つ能率的に行うことが可能な空気調和機の外装材取付構造を提供することにある。
【課題を解決するための手段】
【０００７】
上記目的を達成するために本発明は，空気調和機の筐体の表面に一定幅の段差が形成され，該段差を形成する段差面に所定幅の開口部が形成された構成において，略矩形板状の外装材の底面に設けられた外装材取付脚部を上記開口部に挿入することにより上記外装材取付脚部を上記筐体の裏面に係合させると共に上記外装材の貼付面を上記筐体の表面に接着材で貼着させることによって上記外装材を上記空気調和機に取り付ける空気調和機の外装材取付構造に適用され，上記外装材の貼付面に対応する上記筐体に，上記外装材取付脚部を上記筐体に対して略垂直に挿入することが可能なように上記開口部と連続する切り欠きが設けられた空気調和機の外装材取付構造として構成される。
このような外装材取付構造を採用することにより，外装材取付脚部を上記筐体に対して略垂直に挿入させ，上記外装材の底面が上記筐体に当接するまで挿入した後に，該外装材の底面を略中心にして上記外装材の貼付面が上記筐体の表面に当接するまで回動させることにより，上記外装材取付脚部を上記筐体の裏面に係合させると共に上記外装材の貼付面を上記筐体の表面に接着材で貼着させることが可能となる。これにより，楔等を用いて上記外装材取付脚部の挿入口を確保するという従来行われていた面倒な作業を行うことなく，容易に上記外装材の取り付けを行うことが可能となる。また，上記外装材取付脚部の挿入時に両面テープ等の接着材が筐体に誤って付着する危険性が低減するため，取付作業に大きな注意を払う必要が無くなる。その結果，作業時間が短縮され，作業効率が高められる。
上記外装材の具体例としては，例えば，上記空気調和機の運転，停止，異常などの運転状態，或いは上記空気調和機に備えられた機器（喚起ファン，酸素富化装置，イオン発生装置等）の運転状態など，上記空気調和機の稼動状態等を表示するための状態表示板が考えられる。また，上記空気調和機の筐体を装飾するための化粧板も上記外装材の一例に該当する。
【発明の効果】
【０００８】
本発明によれば，外装材取付脚部を上記筐体に対して略垂直に挿入させ，上記外装材の底面が上記筐体に当接するまで挿入した後に，該外装材の底面を略中心にして上記外装材の貼付面が上記筐体の表面に当接するまで回動させることにより，上記外装材取付脚部を上記筐体の裏面に係合させると共に上記外装材の貼付面を上記筐体の表面に接着材で貼着させることが可能となるため，楔等を用いて上記外装材取付脚部の挿入口を確保するという従来行われていた面倒な作業を行うことなく，容易に上記外装材の取り付けを行うことが可能となる。また，上記外装材取付脚部の挿入時に両面テープ等の接着材が筐体に誤って付着する危険性が低減するため，取付作業に大きな注意を払う必要が無くなる。その結果，作業時間が短縮され，作業効率が高められる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の一実施形態に係る状態表示板２０（図５参照）の取付構造が採用される空気調和機Ｘの分解斜視図，図２は図１のＩ部及びＪ部の拡大詳細図，図３は状態表示板２０の取付構造及び取付方法を説明するための模式図である。
【００１０】
まず，図１の分解斜視図を用いて，図４及び図５を参照しながら上記空気調和機Ｘの概略構成について説明する。
上記空気調和機Ｘの内部は，図示するように，室内空気を吸い込むと共に熱交換された空気を室内に送り出す送風機５と，この送風機５により取り入れられた室内空気と冷媒との間で熱交換を行う図示しない熱交換器と，結露により該熱交換器等に生じた水滴を受ける前面ドレンパン１０ａ及び背面ドレンパン１０ｂと，上記空気調和機Ｘの稼動状態に応じた複数のＬＥＤ（発光器）を有し，現状の稼動状態に応じたＬＥＤを点灯或いは点滅させるＬＥＤ表示ユニット１１と，上記空気調和機Ｘに収容された上記ＬＥＤ表示ユニット１１等の電気機器等を制御する制御基板等を収容する電装ボックス１２とが適宜配設されて構成されている。
【００１１】
また，上記空気調和機Ｘは，該空気調和機Ｘの筐体１（図４参照）を構成するキャネット６及び前面パネル７等と，室内の空気を吸い込む空気吸込口３と，上記空気調和機Ｘの下部に配置され熱変換された空気を室内に送り出す空気吹出口１６と，該空気吹出口１６に着脱可能なルーバ２（図４参照）と，空気調和機Ｘの稼動状態を表示するための状態表示板２０とを具備してその外観が構成されている。
上記状態表示板２０は先に説明したように，上記前面パネル７の横幅と略同幅の略矩形板状に成型された透明或いは半透明の樹脂製部材からなり，図５に示すように，表示板本体２１と，前面パネル７に設けられた係合爪７ａ（図２参照）と係合する切欠口２２ａを有する２つの取付脚部２２とを有する。
【００１２】
上記前面パネル７には，該前面パネル７が上記キャビネット６に連結（装着）された場合に上記ＬＥＤ表示ユニット１１に対応する位置に，該ＬＥＤ表示ユニット１１に備えられた複数のＬＥＤに位置対応する複数の窓７２（光が透過し得る開口部）が形成されている。この窓７２は，上記状態表示板２０が貼り付けられる位置に形成されており，上記状態表示板２０が上記前面パネル７に取り付けられた際には，上記窓７２を通って上記状態表示板２０に照射されたＬＥＤ光が上記状態表示板２０を介して外部に透過する。また，上記ＬＥＤ光が透過する上記状態表示板２０の透過位置には，上記空気調和機Ｘの稼動状態を示す文字（「運転」，「停止」等）がプリントされており，これらの文字が記載された位置が点灯することによりユーザは空気調和機Ｘの稼動状態を認識できる。
【００１３】
また，図２に示すように，上記前面パネル７にも上記オープンパネル９の下方側に従来と同様の段差３０が形成されている。しかしながら，この段差３０には，従来の開口部３１とは異なる形状の開口部４１が上記段差３０の両端近傍にそれぞれ形成されている。
ここで，図２を用いて，上記開口部４１の形状について説明する。
図示するように上記開口部４１は，段差面３２に形成される従来の開口部３１とその開口が連続するように，上記状態表示板２０の貼付面２４に対応する部分（表示板貼付部）７１が切り欠かれた形状に形成されている。即ち，上記段差面３２から該段差面３２と上記表示板貼付部７１との角部を経て，上記表示板貼付部７１に亘る範囲に上記開口部４１が形成されている。このような開口部４１が設けられているため，以下に図３を用いて説明する取付手法を用いて上記状態表示板２０を上記前面パネル７に取り付けることが可能となる。ここに，図３は上記状態表示板２０の取付構造及び取付方法を説明するための模式図である。
【００１４】
まず，図３（ａ）に示すように，接着材２５が付着された上記状態表示板２０の貼付面２４を上方に向けて上記状態表示板２０を略水平にした状態，即ち，上記状態表示板２０を上記前面パネル７（の表示板取付部７１）に対してほぼ垂直にした状態で，上記開口部４１の表示板取付部７１側の部分（切り欠きに相当。以下「表示板取付部側開口部４１ａ」という）に上記取付脚部２２を矢印Ｙ１方向に挿入させる。この場合，従来のように，上記取付脚部２２と前面パネル７の裏面に設けられた係合爪７ａとが干渉することはなく，もちろん，楔等を用いて挿入口を確保する必要もない。また，上記状態表示板２０が上記前面パネル７に対してほぼ垂直に挿入されるため，挿入中に上記状態表示板２０の貼付面２４が前面パネル７に接触することも無く，接着材２５が剥がれるといったことも生じない。
図３（ｂ）に示すように，上記取付脚部２２を上記状態表示板２０の底面２３が前面パネル７に当接するまで完全に挿入されると，続いて，上記取付脚部２２を挿入させたままで，上記底面２３を略中心にして図中の矢印Ｙ２方向に上記状態表示板２０を回動させる。このとき，上記状態表示板２０の貼付面２４が上記表示板取付部７１に当接するまで上記状態表示板２０を回動させる。上記開口部４１は，表示板取付部７１側の表示板取付部側開口部４１ａだけでなく，従来の開口部３１と同様に段差面３２にも開口が形成されているため，上記取付脚部２２を挿入させたままで矢印Ｙ２方向への回動が可能となる。
上記状態表示板２０が矢印Ｙ２方向に回動されると，上記取付脚部２２は矢印Ｙ３方向に回動され，上記貼付面２４が上記表示板取付部７１に当接するまで回動されると，上記取付脚部２２の切欠口２２ａが前面パネル７の裏面に設けられた係合爪７ａに係止される。このような構造を採用することにより，上記取付脚部２２が上記前面パネル７の裏面に係合され，且つ，上記状態表示板２０の貼付面２４が接着材２５で上記表示板取付部７１に貼り付けられる。
本実施形態では，上述したように，状態表示板２０の取付構造について説明したが，例えば，上記空気調和機Ｘの筐体１を構成するキャビネット６や前面パネル７等を装飾するための化粧板やその他の外装材を筐体１に取り付ける場合にも上述した取付構造を適用することが可能である。
【図面の簡単な説明】
【００１５】
【図１】本発明の実施の形態に係る状態表示板の取付構造が採用される空気調和機Ｘの分解斜視図
【図２】図１のＩ部及びＪ部の拡大詳細図。
【図３】本発明の実施の形態に係る状態表示板の取付構造及び取付方法を説明するための模式図。
【図４】空気調和機Ｘの全体斜視図。
【図５】外装材の一例である状態表示板の外観を示す外観図。
【図６】状態表示板の従来の取付構造及び取付方法を説明するための模式図。
【符号の説明】
【００１６】
１…筐体
２…ルーバ
３…空気吸込口
５…送風機
６…キャビネット
７…前面パネル
８…カバー
９…オープンパネル
１０ａ…前面ドレンパン
１０ｂ…背面ドレンパン
１１…ＬＥＤ表示ユニット
１２…電装ボックス
２０…状態表示板（外装材の一例）
２１…表示板本体
２２…取付脚部（外装材取付脚部に相当）
２３…状態表示板の底面
２４…状態表示板の貼付面
２５…接着材
３０…段差
３１…開口部
３２…段差面
４１…開口部
【図１】
2006214682.tif 000003
【図２】
2006214682.tif 000004
【図３】
2006214682.tif 000005
【図４】
2006214682.tif 000006
【図５】
2006214682.tif 000007
【図６】
2006214682.tif 000008